Podtech/llm-jp-corpus-v4-ja_patent huggingface dataset:
(57)【要約】本発明は、免疫クロマトグラフィー法によって少量の検体を分析するための検査装置および当該検査装置の製造に関する。場合によっては量を特定かつコントロールし、また場合によってはインビボの分析を行う。当該装置では、容量制御を使用し、かつ一部の構成要素のサイズが小さいため、例えば、涙、分泌物、汗、および自然にまたは自発的に得られるあらゆる液体についての、非侵襲性のインビボ分析を行うことができる。本発明に記載の検査装置により、１００μｌ未満の量の試料の分析が可能となる。さらに当該検査装置により、分析した量をコントロールし、結果の定量分析を行うことができる。当該検査装置は例えば、生物学的試料における様々な特殊な要素のインビボ検出に適用することができるが、これらに限定されることはない。本発明はまた、当該検査装置の分析用キットへの使用に関する。【特許請求の範囲】
【請求項１】
組織、生体分泌物、体液などの固体試料または液体試料に含まれる要素、化合物、または物質といった検体の側方免疫クロマトグラフィーによる検出装置であって、当該装置では結果の視覚表示が着色と関連しており、前記試料の量が１００μｌ未満であり、
当該装置は少なくとも、容量制御などの作動制御区域および分析区域を含む分析部分を含み、
当該装置は、前記容量制御が、当該装置内の前記分析部分の上流側に含まれている検出される検体とは別の物質を感知する構成要素からなることを特徴とし、この構成要素は試料の生化学的または生物学的要素を必要とせず、またこの構成要素は直接または単に当該装置内に拡散した試料の体積によって色または強さが決定されるシグナルを発し、前記容量制御は、当該装置の作動について表示するために、検出される検体の分析区域の拡散方向における下流側で、同一の支持体または隣接する支持体の上に設置されており、前記分析部分の幅が５ｍｍ未満、長さが７０ｍｍ以下、かつ試料１μｌ当たりの面積が４．５ｍｍ２以下である装置。
【請求項２】
分析部分が、セルロース、セルロース誘導体、ナイロン、繊維状ポリマー、微孔性ポリマー、植物性繊維、動物性繊維、鉱物性繊維、または合成繊維などの、容器としての役割を果たす物質からなる、生物学的分子の吸収力が弱い膜で構成されていることを特徴とする、請求項１に記載の装置。
【請求項３】
当該装置が、インビボ試料採取用の非毒性の芯を分析部分の上流側に備えており、この芯は試料を装置に接触させるとともにフィルターの役割を果たし、幅または直径が５ｍｍ未満であることを特徴とする、請求項１および２のいずれかに記載の装置。
【請求項４】
当該装置がさらに、検査用試料の受け入れ用の膜からなる第一反応区域または貯槽を分析部分の上流側に備えており、この膜は、検出される検体に特異的な親和性を対の半分に有し、また検体と指示試薬を接触させるために指示試薬と連結していることを特徴とする、請求項１〜３のいずれかに記載の装置。
【請求項５】
当該膜が、セルロース、セルロース誘導体、ナイロン、繊維状ポリマー、微孔性ポリマー、植物性繊維、動物性繊維、鉱物性繊維、または合成繊維などの、容器としての役割を果たす物質からなる、生物学的分子の吸収力が弱い膜であることを特徴とする、請求項４に記載の装置。
【請求項６】
フィルター／芯がさらに、接触区域の下流側に配置される指示試薬のための貯槽と称される第一反応区域を構成していることを特徴とする、請求項３〜５のいずれかに記載の装置。
【請求項７】
酵素試薬ではない１つまたは複数の着色試薬によってシグナルが得られ、この着色試薬が当該検査装置の分析区域の上流、場合によっては隣接部分に配置され、コロイド金または金属塩またはラテックスビーズの錯体でありうる粒子状の着色物質を含んでいることを特徴とする、請求項１〜６のいずれかに記載の装置。
【請求項８】
当該装置に含まれる少なくとも１つの容量制御の位置および構成の設定において、前記容量制御のシグナルの強さまたは色が試料の設定量によって決まることを特徴とする、請求項１〜７のいずれかに記載の装置。
【請求項９】
少なくとも１つの容量制御の位置および構成が、前記容量制御のシグナルの強さまたは色と、１つまたは複数の参照物質の既知の割合または既知の割合の範囲との間の関連が得られるように調整されており、１つまたは複数の参照要素についての１つまたは複数の値とシグナルとの間の前記の関連を用いて分析および結果の処理を行うことを特徴とする、前記請求項のいずれかに記載の装置。
【請求項１０】
前記請求項のいずれかに記載の装置を含み、分析結果が器具によって読み取られることを特徴とする、分析用セットまたは分析用キット
【発明の詳細な説明】

【国際調査報告】
2005529305.tif 000002
2005529305.tif 000003
2005529305.tif 000004
2005529305.tif 000005
2005529305.tif 000006
2005529305.tif 000007
2005529305.tif 000008
2005529305.tif 000009
(57)【要約】コーキングまたはグラウティング補助具は、支持体（１４）に取り付けられる２枚の同一の両面接着片（１２および１２’）を有し、接着片（１２および１２’）は互いに対して平行に配置され、離間され、均一な中間溝を形成する。支持体は、支持体（１４）の露出した縁が壁のコーナーの中に挿入されるよう半分に折られ、接着片の表側が隣接する壁に接着されるよう広げられ、コークまたはグラウトが塗布され得る均一な溝が形成される。
2005502464.tif 000002
【特許請求の範囲】
【請求項１】
表側と裏側を有する両面接着テープ（１２および１２’）の２枚の同一の細長い片を有し、前記両面接着テープの２片が互いに対して平行に配置され、前記両面接着テープの２片（１２および１２’）の間に均一な溝が形成されるよう前記両面接着テープの２片（１２および１２’）の合計幅よりも大きい幅の非接着性の支持体（１４）の外縁に沿って前記両面接着テープの前記２片の前記裏側が貼られる、コーキングまたはグラウティング補助具。
【請求項２】
前記支持体（１４）は、前記両面接着テープ（１２および１２’）の２片それぞれの裏側が互いに対して垂直に配置されるよう前記両面接着テープ（１２および１２’）間の前記溝の中心線に沿って折られ、前記両面接着テープ（１２および１２’）の２片の前記縁を超えて延在する前記非接着性の片（１４）の露出部分を形成する、請求項１に記載のコーキングまたはグラウティング補助具。
【請求項３】
ロール（１０）の形態である請求項２に記載のコーキングまたはグラウティング補助具。
【発明の詳細な説明】
【技術分野】
【０００１】
本発明は、接着テープに関し、特に、セラミックタイルのコーナーにコークまたはグラウトを塗布する際に有用な接着テープに関する。
【背景技術】
【０００２】
セラミックタイルは、一般的な壁および床のカバーである。このとき、タイルが可能な限り最も魅力的な外観を有することが望ましいのは明らかである。セラミックタイルは、表面にタイルを糊付けすることで典型的には取り付けられ、この際、規則的な均一なパターンを実現することに注意する。糊が乾いた後、タイル間の間隔は、グラウトと呼ばれるセメント状の物質で充填される。グラウトはタイル表面上に広げられて間隔を充填し、残留物は払拭される。これらの動作が正常に行われると、この技法による均一で魅力的な外観が得られる。
【０００３】
しかしながら、垂直壁間のコーナーにおいて問題が生ずる。上述のグラウト技法は、コーナーには適用できない。ここでは、コーキングガンまたは他の同様の装置がグラウトを注入するために使用される。浴室または他の水に曝される場所では、コーナーは、実質的にコーキングガンでのみ塗布され得るシリコンゴムコーキングでしばしば充填される。
【０００４】
取り付け者は、トリガを強く握りコーキング物質を先細のノズルから流出させると同時にコーナーに沿ってノズルを移動させるようにしてコーキングガンを使用する。しかしながら、コーキングガンを用いて均一で魅力的な外観を得ることは非常に困難である。コーキング物質は、トリガが最初に強く握られたときにより早くノズルから流出する。取り付け者が、壁に沿って移動させるコーキングガンの速度を正確に調節しない限り、外観は不均一で魅力的でなくなる。
【発明の開示】
【発明が解決しようとする課題】
【０００５】
この問題を解決する一つの解決策は、コーナーの各辺に沿ってマスキングテープを接着することであった。しかしながら、この手順は非常に時間がかかる困難な手順である。２片の別個のテープは、コーナーから等距離に貼られ壁の全長にわたって互いに対して平行に維持されなくてはならない。
【課題を解決するための手段】
【０００６】
従って、垂直壁によって作られるコーナーに簡単に接着し、グラウトまたはコークが塗布される等間隔の平行なチャネルを形成する接着テープが必要となり、本発明はこのような接着テープを提供する。
【０００７】
本発明は、図面を参照して説明する。
【発明を実施するための最良の形態】
【０００８】
図１、２および４に示すように、本発明によるテープは巻１０として包装されている。以下に明らかとなるように、この包装は便利なだけでなく、本発明の機能にとって重要である。
【０００９】
本発明によるテープは、２つの同一の両面接着片１２および１２’を有する。接着片１２および１２’は、表側と裏側を有する。図２および３に示すように、接着片１２および１２’の前記裏側は、接着片１２および１２’が互いに対して平行となるよう裏当て片１４に取り付けられる。裏当て片１４は、柔軟なプラスチックフィルムまたは他の好適な非粘着性材料よりなることが好ましい。
【００１０】
図１に示すように、裏当て片１４が半分に折られてロール１０として包装されるとき折られた裏当て片１４を間に挟持して接着片１２および１２’が互いに対して垂直なるように、接着片１２および１２’は裏当て片１４の外縁に沿って貼られる。図１より更に分かるように、裏当て片１４の幅は接着片１２の幅の２倍以上でなくてはならない。これは、図１に示すように、接着片１２および１２’の縁を超えて延在する裏当て片１４の露出部分を設けるためである。
【００１１】
本発明によるテープは、最初にロール１０から任意の長さのテープを出すことで使用される。裏当て片１４の露出部分の折られた縁はコーナーに挿入される。続いて、図２および３から分かるように、テープは広げられ接着片１２および１２’の表側がタイルに押し付けられる。図３に示すように、裏当て片１４は非接着性でありタイルに接着しないため、簡単に除去され得る。結果として、両辺においてコーナーの頂点から等距離で完全に直線状の平行な溝が形成される。
【００１２】
図４に示すように、コーキングガン１６は、接着片１２および１２’間の間隔にコークまたはグラウトを塗布するために利用される。コークまたはグラウトが乾燥する前に、接着片１２および１２’が除去される。これにより、魅力的で均一な外観が得られる。
【図面の簡単な説明】
【００１３】
【図１】本発明によるテープのロールの斜視図である。
【図２】一端が僅かに開いた、本発明によるテープのロールの斜視図である。
【図３】コーナーに適用されたテープの斜視図である。
【図４】本発明のテープと用いるコーキングガンの斜視図である。
【国際公開パンフレット】
2005502464.tif 000003
2005502464.tif 000004
2005502464.tif 000005
2005502464.tif 000006
2005502464.tif 000007
2005502464.tif 000008
2005502464.tif 000009
2005502464.tif 000010
2005502464.tif 000011
2005502464.tif 000012
2005502464.tif 000013
【国際調査報告】
2005502464.tif 000014
2005502464.tif 000015
2005502464.tif 000016
(57)【要約】ルビジウムウルソレートを含む癌細胞の転移を停止するための組成物。ルビジウムウルソレートは、ルビジウムとガマズミ属植物の樹皮から得られたウルソール酸の混合物から形成される。【特許請求の範囲】
【請求項１】
癌細胞の転移を停止するための組成物であって、薬理学的に有効な量のルビジウムウルソレートを含む組成物。
【請求項２】
前記組成物が、患者に投与したときにMMP-2及びMMP-9の両方をダウンレギュレートする請求項１記載の組成物。
【請求項３】
前記ルビジウムウルソレートが、ルビジウムとウルソール酸の混合物から形成される請求項１記載の組成物。
【請求項４】
前記ウルソール酸が、ガマズミ属植物の樹皮から得られたものである請求項３記載の組成物。
【請求項５】
癌細胞の転移を停止する方法であって、それを必要とする患者への薬理学的に有効な量のルビジウムウルソレートの投与を含む方法。
【請求項６】
前記ルビジウムウルソレートが、ウルソール酸とルビジウムの混合物から形成される請求項５記載の方法。
【請求項７】
前記ウルソール酸が、ガマズミ属植物の樹皮に由来するものである請求項５記載の方法。
【発明の詳細な説明】
【技術分野】
【０００１】
本発明は、癌細胞の転移を防止または停止するための製剤に関する。
【背景技術】
【０００２】
ガマズミ属（Viburnum）植物の樹皮に由来するウルソール酸は、ヒト繊維腫細胞に抗侵襲的な活性を有すると報告されている。この活性のメカニズムについては、MMP-9、ゼラチン減成マトリックス金属たんぱく分解酵素（a gelatin degrading matrix metalloproteinase）のダウンレギュレーション（down-regulation）に関連すると考えられると報告されている。さらに、MMP-2、２つのゼラチン減成MMPの第２番目のものに対しては何の効果もないと報告されている。
【発明の開示】
【課題を解決するための手段】
【０００３】
本発明によれば、ルビジウムをウルソール酸と、その酸の塩であるルビジウムウルソレートを調製するために組み合わせる。これを患者に投与されると、MMP-2とMMP-9の両方をダウンレギュレートする。この２つのMMPインヒビターの組み合わせは、一般的に癌細胞の広がりまたは転移を停止するための治療法を提供する。
【国際調査報告】
2005527613.tif 000002
(57)【要約】本発明は、マーカ（２）、特に光学マーカを備えたタグ（１）に関し、該マーカはさらに電子ラベル（４）を備え、該ラベルは該マーカに接着されていて、ツールの相対位置又は他の特徴を遠隔通信によって測定システム（３）に送信する。従って、異なるタグ間の混同を回避でき、測定システムとタグの間の相互作用を向上できる。
2005527803.tif 000002
【特許請求の範囲】
【請求項１】
測定すべき環境に配置される、基準マーカ（２）を備えたタグ（１）であって、該マーカに関する情報が保存されたメモリ（５）と遠隔情報通信手段（６）とを含んだ電子ラベル（４）を備えていることを特徴とするタグ（１）。
【請求項２】
前記情報が、タグの測定位置座標を含むことを特徴とする請求項１に記載のタグ。
【請求項３】
前記ラベルが、さらに情報ディスプレイ（７）を含むことを特徴とする請求項１又は２に記載のタグ。
【請求項４】
前記ディスプレイが、ＬＣＤディスプレイであることを特徴とする請求項３に記載のタグ。
【請求項５】
前記マーカが、反射性又は発光性であることを特徴とする請求項１ないし３のいずれかに記載のタグ。
【請求項６】
前記遠隔通信手段が、赤外線又は無線通信を用いることを特徴とする請求項１ないし４のいずれかに記載のタグ。
【請求項７】
少なくとも一の測定装置（９）と測定作業計算機（３）とを含む環境測定システムであって、請求項１ないし６のいずれかに記載のタグと、該計算機に属し且つ前記ラベルの遠隔通信手段に接続された遠隔通信リソースとを含むことを特徴とする測定システム。
【発明の詳細な説明】
【技術分野】
【０００１】
本発明は、特に、幾何学的基準を提供するために測定環境に配置されるタグ（ここではツールと称する）に関し、当該タグを備えたシステムにも関する。
【背景技術】
【０００２】
環境の三次元測定作業の多くにおいて、幾何学的基準を、測定体積の又は測定すべき物体上の正確な点によって表すことができるツールが使用される。これらのツールは通常、装置の取付フレーム等に固定されるか、実際に測定すべき物体に固定される。特に光学的測定システムの場合には、これらのツールは移動可能で、様々な基準点を表し、連続測定のために、オペレータ又はロボットによって操作することができる。
【０００３】
ツールには一又は複数の金属製球体を含むものがあり、測定に用いられる技術が機械的なものである場合は、該球体の位置は、各球体の複数の点に接触して決定しなければならない。使用される装置がレーザを含む場合、反射プリズムターゲットを備えるツールもある。また、用いられる技術が写真測量法である場合、逆反射ターゲット若しくは電界発光ダイオードによって表される光点を含むツールもある。この種のツール又は作業モードに関する特許はこれまでに複数出願されている。
例えばＥＰ０８６３４１３Ａ１が挙げられる。
【０００４】
一般的には、ツールは複数のマーカを含み、測定装置からのマーカの方向と相対位置とを対応付けることによって、ツール全体の位置と方向が求められる。
マーカの相対位置は、ツールを予め測定する装置によって求められる。従って、各ツールを特徴付ける相対位置は通常、コンピュータファイルに記録されている。紛らわしい複数の異なるツールが存在することが多いので、この方法では間違いを起こすことがある。さらに、新しいツールを使用する度に、ユーザはファイルが測定システムにロードされていることを確かめなければならない。また、ユーザは、測定システムを管理するコンピュータを直接参照せずに、ツールを用いて測定された物体の特徴を照会することはできない。
【特許文献１】ＥＰ０８６３４１３号
【発明の開示】
【０００５】
本発明によるツールは、これらの欠点を解消するものであって、マーカに関する情報が保存されたメモリと遠隔情報通信手段とを含む電子ラベルを備えていることを特徴とする。
【０００６】
本発明による装置は、幾何学的パラメータを、複数のマーカ２を備えたツール１に、分離できない方法で物理的に関連付けることができ、この場合、該マーカは光学マーカである。マーカは反射性又は発光性であってもよく、点であっても、より大きな領域からなっていてもよく、認識できるパターンを描くように十分な数のマーカを有する。マーカは互いに同一でも異なっていてもよい。ツール１には、メモリ５を含む電子ラベル４が接続されていて、該メモリは、マーカ２を記述するパラメータの記録、特にツール１の（いずれかの）原点から測定されたマーカの幾何学的座標の記録を可能にする。電子ラベル４は、さらにメモリ５の内容を読み込み且つそれをアナログ電気通信手段８に送信することができる送信装置６を含み、該電気通信手段は、カメラ９から又はマーカ２を監視可能な他の装置からの測定を用いて測定システムを管理するコンピュータ３に接続されている。さらに、ラベル４は、測定システムを用いずに、特にコンピュータ３を介さずにツール１の特徴を直接表示するＬＣＤディスプレイ７も備えていてもよい。コンピュータ３によって提供される追加情報、特に作業モード又は測定結果を表示可能であってもよい。送信には、赤外線又は無線通信を用いることができる。
【０００７】
本発明において、測定は、ツール１の正確な特徴に基づくように、コンピュータ３と手段６及び８がメモリ５の内容を読み取ることから開始する。
【０００８】
よって、ツール１は測定システムからより一層独立した要素となり、このことは、オペレータがツールを操作する場合、測定のステータス又は進行を即座に確認できる利点がある。このような状況は、例えば、ツール１が、形状測定の対象である構造体に沿って移動するトレーシングポイントである場合である。
【図面の簡単な説明】
【０００９】
【図１】測定システムの全体図である。
【図２】使用される電子ラベルと通信手段を示す。
【図１】
2005527803.tif 000003
【図２】
2005527803.tif 000004
【国際調査報告】
2005527803.tif 000005
2005527803.tif 000006
2005527803.tif 000007
2005527803.tif 000008
2005527803.tif 000009
2005527803.tif 000010
(57)【要約】  システム圧力が所定の下限値を下回ると油圧ポンプが起動され、システム圧力の所定の上限値に到達するか又はこれを超えると切断される、油圧ポンプ、逃し弁及び負荷を包含する油圧回路、特に自動変速機の油圧回路の圧力供給装置の制御方法に関連して、システム圧力のデータがない場合に、現在のシステム圧力を計算する。【特許請求の範囲】
【請求項１】
システム圧力が所定の下限値を下回ると油圧ポンプを起動し、所定の上限値に到達するか又はこれを超えると切断する、油圧ポンプ、逃し弁及び負荷を包含する油圧回路、特に自動変速機の油圧回路の制御方法において、システム圧力のデータがない場合は、現在のシステム圧力を計算することを特徴とする方法。
【請求項２】
システム圧力の計算のためにまず作動油の消費容積を決定し、続いて蓄圧装置の圧力／容積曲線によりシステム圧力を計算することを特徴とする請求項１に記載の方法。
【請求項３】
作動油の消費容積を圧力センサの最後の現在信号、負荷の作動弁の接続時間及び関与するアクチュエータのピストン又はセレクト及びシフトピストンの変位位置によって計算又は決定することを特徴とする請求項２に記載の方法。
【請求項４】
自動変速機の場合は変速機アクチュエータのセレクト及びシフトピストン並びにクラッチアクチュエータのピストンの変位位置を考慮することを特徴とする請求項３に記載の方法。
【請求項５】
安全な状態での油圧回路の操作を保証するために、作動油の計算された消費容積に所定の値を加算することを特徴とする請求項２ないし４のいずれか１つに記載の方法。
【請求項６】
圧力センサの最後の現在信号が得られない場合は、システム圧力に対してゼロの値を仮定することを特徴とする上記請求項のいずれか１つに記載の方法。
【請求項７】
油圧回路が安全に使用されるように、逃し弁のしきい値を選定することを特徴とする請求項６に記載の方法。
【発明の詳細な説明】
【技術分野】
【０００１】
本発明は請求項１の上位概念に基づく、油圧回路特に自動変速機の油圧回路の圧力供給装置の制御方法に関する。
【０００２】
油圧回路は通常、システム圧力の発生のための装置、例えば圧力ポンプ（油圧ポンプ）、圧力センサ、蓄圧装置、逃し弁、逆止め弁及び単数個又は複数個の負荷からなり、負荷は作動弁と連結されている。
【０００３】
先行技術によれば油圧回路の通常の使用時にシステム圧力が所定の下限値を下回ると油圧ポンプが起動され、所定の上限値に到達するか又はこれを超えると切断される。こうして系が所定の圧力範囲内で操作される。上限値の代表的な値は８０バール級であり、これに対して下限値は約６０バールであって、６０バールと約４０バールの間で系を限定的に操作することができる。９０バールを超えると逃し弁が開放し、圧力の低下の後例えば６５バールで閉鎖する。必要ならばしきい値と限界圧力の別の値が考えられる。
【０００４】
このような油圧系又は油圧回路で圧力センサ信号が−例えば圧力センサの故障のため−得られないか又はシステム圧力への直接アクセスがもはや与えられない場合は、制御は問題である。その結果、系が遮断されるか又は油圧ポンプが持続的に作動される。
【０００５】
この方法は、ポンプが持続的な作動によって絶えず負荷を受け、大きな摩耗により場合によっては損傷するという欠点がある。しかも逃し弁は絶えず負担がかかるため、大きな摩耗をこうむる。
【０００６】
本発明の根底にあるのは、圧力センサが故障し又はシステム圧力への直接アクセスがもはや与えられない場合に、油圧回路の使用可能性とその部品の丁寧な操作を保証する、油圧回路特に自動変速機の油圧回路の圧力供給装置の制御方法を提示するという課題である。
【０００７】
特に摩耗をなるべく小さくするために、ポンプ及び逃し弁の接続時間及び接続回数を制限するものである。
【０００８】
この課題は請求項１の特徴開示部分の特徴によって解決される。その他の実施態様は従属請求項で明らかである。
【０００９】
それによれば故障状態が現われた場合に、現在のシステム圧力を直接決定又は計算し、こうして決定又は計算した値に基づいて油圧ポンプを制御又は操作することを提案する。この場合計算されたシステム圧力が所定の下限値を下回ると油圧ポンプが接続され、計算されたシステム圧力が所定の上限値に到達するか又はこれを超えると切断される。
【００１０】
本発明によればシステム圧力は次のように決定又は計算される。
【００１１】
故障状態が現われる前の圧力センサの最後の現在信号に基づき、負荷の作動弁の接続時間及び関与するアクチュエータのピストン又はセレクト及びシフトピストンの変位位置によって作動油の消費容積が計算又は決定される。自動変速機の場合これは変速機アクチュエータのセレクト及びシフトピストン並びにクラッチアクチュエータのピストンである。続いて蓄圧装置の圧力／容積曲線によってシステム圧力が計算される。
【００１２】
本発明に基づく方法の好ましい変法に関連して、安全な状態での油圧回路の操作を保証するために、計算された作動油消費容積に所定の値が加算される。漏れ損失はオフセットの形で考慮することができる。
【００１３】
圧力センサの最後の現在信号が得られないか又は例えば油圧回路の新たなスタートの際にこのような実際信号が存在しない場合は、システム圧力をゼロとみなし、上記の計算に基づきシステム圧力が作動範囲内の値に到達するまで、油圧ポンプを作動する。
【００１４】
実際のシステム圧力が仮定したゼロ値より高いことから危険な事態が発生することを回避するために、場合によっては限定的にせよ油圧回路を操作することができるように、逃し弁のしきい値を選定する。
【００１５】
本発明の方法によれば、故障が生じても油圧回路が引続き使用可能である。しかも油圧ポンプと逃し弁の持続的応答によって発生する欠点、例えば大きな摩耗及び高い故障発生率が回避される。また当該の部品を強力に設計する必要がないから、発明はコストの節減をもたらす。
【国際調査報告】
2005511988.tif 000002
2005511988.tif 000003
2005511988.tif 000004
2005511988.tif 000005
2005511988.tif 000006
2005511988.tif 000007
(57)【要約】  本発明は、アスコルベート、リジン、プロリン及び結合組織に影響する他の物質と組み合わせたエストロゲン及び関連ホルモンの組成物、それらの能力、及び避妊、閉経中のホルモン置換療法にそれらを使用する方法、及び医療、生理学、薬理学、製薬及び化粧料用途における他の使用法に関する。【特許請求の範囲】
【請求項１】
細胞外マトリックス変性に関連した病理学的状態の予防及び治療のための薬学的組成物と組み合わせたエストロゲン及び関連ホルモンの薬学的組成物。
【請求項２】
アスコルビン酸またはアスコルビン酸塩を含む、請求項１の薬学的組成物。
【請求項３】
エストロゲン、エストラジオール、エチニルエストラジオール、エストリオール、ノルエチステロン、リネストレノール；  及びリジンもしくはリジン塩またはヒドロキシリジンもしくはヒドロキシリジン塩を含む関連ホルモンを含む、請求項１の薬学的組成物。
【請求項４】
プロリンもしくはプロリン塩またはヒドロキシプロリンもしくはヒドロキシプロリン塩を含む、請求項１〜３の薬学的組成物。
【請求項５】
セレンもしくはセレン塩、銅もしくは銅塩、鉄もしくは鉄塩及び他の鉱物、または微量元素を含む、請求項１〜４の薬学的組成物。
【請求項６】
コンドロイチン硫酸、グリコサミノグリカン類もしくは他のプロテオグリカン類または細胞外マトリックスの要素であることが知られる糖タンパク質を含む、請求項１〜５の薬学的組成物。
【請求項７】
閉経に関連する典型的な症状を軽減するために妊孕管理及びホルモン置換療法のために請求項１〜６の薬学的組成物を使用する方法。
【請求項８】
骨粗しょう症、心臓血管疾患及び他の閉経中の疾患の予防に請求項１〜６の薬学的組成物を使用する方法。
【請求項９】
経口型、タブレット、カプセル、または消化器、舌下、静脈内、皮下、筋肉内、経皮及び他の任意の非経口投与用に適した任意の他の形態で、請求項１〜６の薬学的組成物を使用する方法。
【発明の詳細な説明】
【技術分野】
【０００１】
本発明は、エストロゲン及び関連ホルモンをアスコルベート、リジン、プロリン及び結合組織に影響のある他の物質と組み合わせて含む組成物、それの能力及び避妊、閉経後のホルモン置換療法にそれを使用する方法、並びに医療、生理学、薬学、製薬及び化粧料用途での他の使用法に関する。
【背景技術】
【０００２】
エストロゲン及び関連ホルモンは医療の分野で幅広く使用されている。それらの主な用途は、避妊、及び閉経中のホルモン置換療法などである。
【０００３】
しかし、エストロゲン及び関連ホルモンの長期使用は、癌、特に胸部や子宮の癌、及び生殖系器官の他の悪性疾患、心臓病、及び細胞外マトリックス変性に関する他の疾患などを含む深刻な副作用をしばしば有する。幾つかの情報源（Ｐｓｃｈｙｒｅｍｂｅｌ，Ｋｌｉｎｉｓｃｈｅｓ  Ｗｏｅｒｔｅｒｂｕｃｈ，２５９  ｅｄｉｔｉｏｎ）によると、エストロゲン類での治療は、エストロゲン依存性の腫瘍、肝臓の急性もしくは慢性疾患、血栓塞栓及び高血圧の場合は禁忌と考えられている。血栓塞栓及び虚血性疾患の場合は、重度の高血圧症のエストロゲンによる治療は即座に中止するべきである。
【０００４】
エストロゲン類及び関連ホルモンは、細胞外マトリックスを弱体化することによって、癌の蔓延及び他の疾患の悪化を促進する。エストロゲンのこの効果は、プラスミンやコラゲナーゼ類などの結合組織分解酵素の活性化や、結合組織を不安定化させる他の直接的及び間接的な機構によって仲介される。
【０００５】
２００１年１月１７日に公開されたヨーロッパ特許出願第００１１５６４３．９号からは、アスコルベートを、あるいはアスコルベートと、リジン及びプロリンなどのフィブリン溶解抑制剤とを、トコフェロール、カロチン、セレン、プロビタミン及び微量元素などの他の物質と組み合わせて含む組成物が、細胞外マトリックスの分解に関連する病理学的状態の疾患、例えば変性疾患、特に、動脈硬化症、癌及び他の関連する疾患の予防及び治療に好適な薬学的組成物であることが知られている。
【発明の開示】
【発明が解決しようとする課題】
【０００６】
他の面では有益なホルモン療法であるエストロゲン治療の副作用を最小化するための治療的戦略を開発することに対する明らかな要望がある。
【課題を解決するための手段】
【０００７】
エストロゲンをアスコルベート、リジン、プロリン及び他の物質と組み合わせて投与すると、これらの組成物の各々の作用は、互いに無効にしてしまうであろうと考えられていた。エストロゲン治療は、細胞外マトリックスの分解を招くが、他方、アスコルビン酸類の公知組成物、特にアスコルビン酸類をリジン及びプロリンと組み合わせて含む組成物は、このような分解を減少させるかまたは阻止し、それによってエストロゲン治療が無用のものとなってしまう。しかし、驚くべきことに、これらは少なくとも部分的には当てはまらない。なぜならば、このようなアスコルビン酸組成物の相乗作用、特に、一方では細胞外マトリックスの変性を抑制もしくは阻止するが、他方では、特に細胞外マトリックスを生成及び支持するアスコルビン酸との組み合わせにおいて、コラーゲン合成を増強するリジン及びプロリンと組み合わせた場合のこのようなアスコルビン酸組成物の相乗作用の故である。
【０００８】
エストロゲン類及び関連ホルモンと組み合わせてまたは治療用途に本発明に使用される化合物は、これらのホルモンによる結合組織の弱体化を相殺するために選択される。アスコルベートは、線維芽細胞及び関連細胞からのコラーゲン、エラスチン及び他の結合組織高分子の合成を刺激することが知られている。アミノ酸類のリジン及びプロリンは、結合組織分子の合成に必要な主アミノ酸である。鉄及び銅は、これらの高分子物質の産生を触媒する微量元素である。
【０００９】
排卵及び妊娠などの生理学的状態の間は、エストロゲンによる結合組織の分解は、コラーゲンの分解を防ぐ自然の機構の調節システムによって相殺される。有益なホルモン療法の副作用によって引き起こされる病理的状態では、閉経中及び閉経後はもはや活性を示さない自然の機構は、本発明の組み合わせ物の治療的使用によって置き換えることができる。これらは、長期ホルモン療法の副作用、例えば癌及び他の深刻な健康状態を、エストロゲン及び関連ホルモンの目的の医療もしくは治療効果を発揮させながら、最小化または防止するのに有用である。
【００１０】
本願の特許請求の範囲に記載の様々な化合物を、共有結合した化合物の形でもしくは物理的な混合物としてまたは他の如何なる組み合わせ法においても一緒に使用することができる。
【国際調査報告】
2005511768.tif 000002
2005511768.tif 000003
2005511768.tif 000004
(57)【要約】  眼内レンズは、その一方のフェースとしてフレネルプリズムを有している。かかるレンズは、焦点の変化を必要とする黄斑症状、例えば加齢性黄斑変性の治療のために利用できる。
2005511141.tif 000002
【特許請求の範囲】
【請求項１】
一方のフェースとしてフレネルプリズムを有することを特徴とする眼内レンズ。
【請求項２】
複合眼内レンズであって、請求項１記載のレンズを有し、前記複合眼内レンズが滑らかな表面を備えるよう前記一方のフェースを覆っている材料を更に有することを特徴とする複合眼内レンズ。
【請求項３】
焦点の変更を必要とする黄斑疾患を治療する方法であって、患者の水晶体を請求項１又は２記載のレンズで置き換える段階を有することを特徴とする方法。
【請求項４】
黄斑疾患は、加齢性黄斑変性であることを特徴とする請求項３記載の方法。
【発明の詳細な説明】
【技術分野】
【０００１】
本発明は、眼内レンズ（ＩＯＬ）に関し、特に加齢性黄斑変性（ＡＲＭＤ）の影響を軽減するのに使用できる眼内レンズに関する。
【０００２】
（発明の背景）
焦点に関する黄斑疾患、特にＡＲＭＤの治療は、重大な問題を提起している。完全な状態の黄斑は、読書、運転等に必要な視力（しかしながら、周辺視には必要ではない）をもたらすので、その変性にとっての効果的な治療が無いということは、多くの人がますます周辺視だけを保持することを意味している。
この問題を解決するため、網膜を移動させることが提案された。より現実的な解決策は、黄斑からの像を健常な細胞がある網膜上の一点に動かすことであり、かくして、これら細胞は黄斑細胞と同じほど良く機能するわけではないが、適度の視力を保持できる。これは、とりわけ米国再審査特許第６，１９７，０５７号証明書において提案されている。
【０００３】
特に、米国再審査特許第６，１９７，０５７号証明書の図２５、図２７、図３１及び図３３の各々は、補助レンズ、即ち生まれ付き備わった水晶体又は両凸レンズＩＯＬに加えて設けられる眼内レンズを開示している。これら図は全て、従来型プリズムである補助レンズを示している。その結果として、像は黄斑から遠ざけられる。この米国再審査特許証明書の別の箇所には、フレネルレンズを補助ＩＯＬとして用いること（第９欄第１３行）更にレンズが「フレネル形状」であること（請求項１４、この場合も又、これは補助レンズと関連している）が示唆されている。「フレネル形状」レンズの取る形態が何であるかは不明瞭である。
【発明の開示】
【課題を解決するための手段】
【０００４】
本発明は少なくとも１つには、ＡＲＤＭの治療では水晶体の摘出が必要であるが、その代わりに用いられるＩＯＬの合焦屈折力を、従来型レンズによって提供でき、他方、かかるレンズを光が黄斑ではない網膜の（健常な）部分上に合焦されるよう設計変更できるということを利用している。本発明は、この目的のためにプリズムを用いることはこれが不必要なほど嵩張っているので望ましくないということを考慮すると共にフレネルプリズムが通常は像の劣化のために用いられないということを認めており、後者は、黄斑がいずれにしても変性すれば比較的重要性の低い要因である。本発明によれば、一方のフェースとしてフレネルプリズムを有することを特徴とする眼内レンズが提供される。
【発明の効果】
【０００５】
新規なレンズは、単一ユニット内に必要な特徴をもたらす。したがって、同一機能を持つ任意公知のＩＯＬよりも使用法が簡単であり且つ嵩張り具合が小さい。この新規なレンズは、薄く且つ軽量である。かかるレンズは、像を劣化させるが、これは取るに足りない欠点であり、いずれにしても、網膜が、良好な解像力を備えることはない。
【発明を実施するための最良の形態】
【０００６】
次に、本発明を添付の図面を参照して例示として説明する。添付の図面は、本発明を具体化したレンズの概略断面図である。このレンズは、湾曲した表面１及びフレネルプリズムの形態をした反対側の表面２を備える従来型レンズの本質的に１／２のものから成る。
本発明のレンズは、従来型サイズのものであってよく、任意適当な材料から作られたものであってよい。かかるレンズの一般的特性は、公知である。新規なレンズを剛性又は疎水性材料で作るのがよい。適当な材料は、眼内レンズに用いられる材料であり、かかる材料としては、アクリレート及びメタクリレート、例えばポリメチルメタクリレートを含む疎水性ポリマーと親水性ポリマーの両方、シリコーンエラストマー、例えばジメチルシロキサンが挙げられる。
【０００７】
必要ならば又は所望ならば、本発明のレンズは、１、２又は３以上の鞏膜レンズを含むのがよい。公知のように、これら鞏膜レンズをレンズ本体の周囲に取り付けることができ、これら鞏膜レンズは、半径方向又は接線方向に延びるのがよい。
本発明のレンズの屈折力は、通常は１つだけである。各々互いに異なる屈折力を有する或る範囲のレンズを製作することができる。変形例として、本発明のレンズの屈折力を変える補助レンズを提供することにより、「ピギーバック方式（piggy-backing ）」を用いることができる。
【０００８】
新規なレンズを何れかの向きでも眼内に用いることができるが、一般的には、滑らかなフェースが後眼房に向くことが好ましい。フレネルプリズムを備えたそのフェースを半透明材料で（図面に点線によって示す程度まで）被覆することによりかかるフェースを滑らかに作るのがよい。
【０００９】
フレネルプリズムコンポーネントそれ自体は、種々の適当な設計のうち任意のものであってよい。これら設計としては、平面状（平らなディスク）、円筒形（湾曲したディスク）及び球面状（メニスカスディスク）のものが挙げられる。
焦点の変化を必要とする任意の黄斑疾患の治療のために、水晶体の摘出後に本発明のレンズを用いることができる。新規なレンズは、ＡＲＭＤの治療に特に有用である。水晶体／ＩＯＬ及び米国再審査特許第６，１９７，０５７号証明書の図２５、図２７、図３１及び図３３に示す補助レンズに代えてかかるレンズを用いることによりその機能を目に見えるようにすることができる。
【図面の簡単な説明】
【００１０】
【図１】本発明を具体化したレンズの概略断面図である。
【図１】
2005511141.tif 000003
【国際調査報告】
2005511141.tif 000004
2005511141.tif 000005
2005511141.tif 000006
(57)【要約】本発明は、内燃機関を取り付ける支持体（９）と、吸気ガス（６）および排気ガス（５）を送る装置とを備えた自動車用内燃機関に関する。燃焼ガス再循環装置（７）の混合バルブ（８）は、支持体に組み込まれる。
2005519215.tif 000002
【特許請求の範囲】
【請求項１】
自動車用内燃機関であって、前記内燃機関を支える支持体と、吸入空気および排気ガスのルートを決める装置とを有する内燃機関において、
排気ガス再循環装置の混合バルブ（８）は、前記支持体（９）に組み込まれることを特徴とする内燃機関。
【請求項２】
前記混合バルブ（８）は、前記支持体（９）の中空空間内に組み込まれることを特徴とする、請求項１に記載の内燃機関。
【請求項３】
前記混合バルブ（８）および前記支持体（９）は、単一部品として構成されることを特徴とする、請求項１あるいは２に記載の内燃機関。
【請求項４】
前記排気ガス再循環装置の接続部品は、前記支持体（９）に設けられることを特徴とする、請求項１〜３のいずれか一項に記載の内燃機関。
【発明の詳細な説明】
【技術分野】
【０００１】
本発明は、請求項１の前文の特徴を有する自動車用内燃機関に関する。
【背景技術】
【０００２】
特許文献１は、排気装置がエンジン支持体を形成している、前輪駆動の自動車用内燃機関のエンジン支持体について開示している。排気装置は、片側を内燃機関のシリンダーヘッドに、もう一方を車両側、弾性支持面に対して固定され、横向きに取り付けられた内燃機関を備えた車両の横方向に走るエンジン長手方向軸についての衝撃力および回転偶力を吸収する。
【０００３】
【特許文献１】独国特許出願公開第３０  ４７  ９６３  Ａ１号明細書
【発明の開示】
【発明が解決しようとする課題】
【０００４】
本発明の目的は、自動車の内燃機関が取り付けられる方法とは独立した自動車内の内燃機関用エンジン据付金具の空間を節約する配置、および排気ガス再循環装置を提供することにある。
【課題を解決するための手段】
【０００５】
この目的は、内燃機関を支持する支持体と、請求項１の特徴を有する新鮮なガスおよび排気ガスのルートを決める装置とによって達成される。
【０００６】
内燃機関は、自動車内の少なくとも３箇所で、エンジン支持体として公知の手段によって支持されている。これらエンジン支持体は、内燃機関の重量を支え、また内燃機関によって生成される自動車に対するトルクを支援する。エンジン支持体は、内燃機関に対して、またゴム要素を介して自動車に対してしっかりと固定される。大きい荷重を内燃機関から車両に移転しかつ同時に軽量であるためには、エンジン支持体は、概ね、中空でありながら、内燃機関の側部および下部で比較的大きい空間を占める体積の大きいケーシング状の構成要素の形をとる。本発明による解決策は、内燃機関の脇に同様に配置され大きい体積を有する排気ガス再循環装置の混合バルブが、エンジン支持体に組み込まれているという事で特徴づけられる。
【発明の効果】
【０００７】
本発明の有利な構成では、排気ガス再循環装置の混合バルブは、エンジン支持体の中空空間に組み込まれる。このことは、エンジン支持体の強度という点において何ら障害にはならず、中空空間自体の適切な利用を実現する。
【０００８】
本発明の別の構成では、混合バルブおよびエンジン支持体は、単一部品として構成（設計）され、これによって２つの構成要素を互いに固定する必要がなくなり、一方で、二重の壁の厚みは必要なくなるので、同時に重量を軽減できる。
【０００９】
本発明のさらに別の有利な構成では、排気ガス再循環ライン用の接続部品は、支持体排気ガス再循環混合バルブアセンブリに設けられる。これは、例えば、接続部品を支持体に一体鋳造することで達成できる。
【００１０】
さらなる特徴および特徴の組み合わせは、詳細な記述と図面から明らかになるであろう。本発明の具体的な例示的実施形態は、図面に単純化した形で図示され、以下に続く記述においてさらに詳細に説明される。
【発明を実施するための最良の形態】
【００１１】
内燃機関１は、クランクケース２と、シリンダーヘッド３と、油受４とを備えており、排気マニホールド５と、吸気装置６とを有している。排気マニホールド５内の排気ガスの一部は、排気ガス再循環ライン７および混合バルブ８を介して、吸気装置６へと運ばれる。空間的理由から、吸気装置６がエンジンに近接して配置されるのは有利である。
【００１２】
内燃機関１は、２つの支持体９および２つのゴム支持面１０を介して、自動車のフレーム部品１１に固定される。フレーム部品１１は、車両サブフレームまたはフレーム（より詳細は図示せず）の部品である。２つの隔壁１２は、自動車のエンジン室の横の境界、例えば、ホイールアーチ内側パネルを形成する壁で、内燃機関１の側面に示されている。
【００１３】
振動のために、但し利用可能な空間も考慮に入れて、支持体９の位置は、内燃機関１の側部長手方向構造に固定される。例えば吸気冷却器（図示せず）からの吸気口の位置が低い場合、排気ガス再循環ライン７からの排気ガスを吸気装置６の新鮮な空気に混合する混合バルブ８が支持体９に組み込まれることは有利である。このことにより、内燃機関１と境界隔壁１２との間の非常に限られた領域内において、２つの体積の大きい構成要素である支持体９および混合バルブ８によって増す空間的問題に単純な解決策が提示される。さらに、ケーシング状の支持体９内の中空空間が利用される。鋳造支持体９の場合、空間的要件を考慮して、接続部品を備えた混合バルブ８が一体として鋳造されることは有利である。
【図面の簡単な説明】
【００１４】
【図１】自動車内の内燃機関を概略的に示している。
【図１】
2005519215.tif 000003
【国際調査報告】
2005519215.tif 000004
2005519215.tif 000005
2005519215.tif 000006
2005519215.tif 000007
(57)【要約】本発明は無形形態トルセミドの単純で効率的な製造方法に関する。その特性は図１のＸ線回折パターンによって示されている。
2005519862.tif 000002
【特許請求の範囲】
【請求項１】
無形形態トルセミド製造法であって、適した溶媒中のトルセミド溶液からスプレー乾燥法によって無形トルセミドを回収することを特徴とする製造法。
【請求項２】
溶液はトルセミドが適した溶媒中で形成されている反応混合物から直接的に得られることを特徴とする請求項１記載の製造法。
【請求項３】
溶液は適した溶媒中に結晶トルセミドを溶解させることで得られることを特徴とする請求項１記載の製造法。
【請求項４】
適した溶媒はアルコール、ケトン、塩素化炭化水素、エステル、ニトリル、環式エーテルあるいはそれらの混合物であることを特徴とする請求項１から３のいずれかに記載の製造法。
【請求項５】
溶媒はメタノール、エタノール、イソプロパノール、アセトン、メチルイソブチルケトン、ジクロロメタン、ジクロロエタン、酢酸エチル、酢酸メチル、酢酸ブチル、アセトニトリル、テトラヒドロフラン、ジオキサンあるいはそれらの混合物であることを特徴とする請求項４記載の製造法。
【発明の詳細な説明】
【技術分野】
【０００１】
本発明は単純で効率的な無形形態トルセミド(torsemide)製造法に関する。
【背景技術】
【０００２】
化学的にトルセミドは１-イソプロピル-３-［（４-ｍ-トルイジノ(toluidino)-３-ピリジル）-スルフォニル］-ウレア（尿素）であり、化学構造Ｉを有している。
【０００３】
【化１】
2005519862.tif 000003
化学構造Ｉ
トルセミドは高血圧症と鬱血性心臓機能不全に関連する浮腫、腎臓疾患及び肝臓疾患の治療に使用される。トルセミドは係蹄利尿剤であり、その主要な作用部位はヘンレ係蹄の上行脚である。それは標準係蹄利尿剤とは異なり作用時間が長い。また高血圧症の治療に使用される。
【０００４】
トルセミドは異なる多形形状で存在することが報告されている。生物学的に活性である化合物の異なる形状は生体内で異なる吸収特性を有すると考えられ、従って異なる薬理学的特性を有していると考えられる。トルセミドの無形形態はＰＣＴ出願ＷＯ０１/１０４４１で開示されている。その製造方法はアンモニアガスまたは水酸化アンモニウムを使用して水中でトルセミドを溶解させ、溶液を冷却し、凍結乾燥によって無形トルセミドを単離させることが関与する。このプロセスは個別の利用には適さない。なぜなら−５０℃から−８０℃の低温と、凍結乾燥のごとき高額な技術の使用が関与するからである。このプロセスは危険性が考えられるアンモニアガスの使用も関与し、８０時間も要する欠点があり、経済性が低い。
【発明の開示】
【発明が解決しようとする課題】
【０００５】
本発明の１目的は無形形態トルセミドの効率的な製造方法の提供である。このプロセスは達成困難な温度条件を要せず、長時間を必要としない。よって商業スケールでの実用が可能であり、安全性が高い。
従って本発明は無形形態のトルセミドの製造方法を提供する。この方法はスプレー乾燥法によって、適した溶媒中に溶解されたその溶液から無形トルセミドを回収することが関与する。
【課題を解決するための手段】
【０００６】
トルセミド溶液は適した溶媒中で結晶トルセミドを溶解させて得られよう。あるいはそのような溶液はトルセミドが適した溶媒中で形成されている反応混合物から直接的に得られよう。“適した溶媒”とはアルコール、ケトン、塩素化炭化水素、エステル、ニトリル、環式エーテル並びにそれらの混合物である。アルコールの例にはメタノール、エタノール、イソプロパノール等が含まれる。ケトンの例にはアセトン、メチルイソブチルケトン等が含まれる。塩素化炭化水素の例にはジクロロメタン、ジクロロエタン等が含まれる。エステルの例には酢酸メチル、酢酸エチル、酢酸ブチル等が含まれる。ニトリルの例にはアセトニトリル等が含まれる。環式エステルの例にはテトラヒドロフラン、ジオキサン等が含まれる。
【０００７】
開始物質として使用される結晶トルセミドは従来技術で知られた種々な多形状のいずれでも構わず、米国Ｒｅ３０６３３、米国Ｒｅ３４５８０、米国６１６６０４５、ＷＯ００/２０３９５、ＷＯ０１/１０４４１、Ａcta  Ｃryst.２６５９（１９７５）、Ａcta Ｃryst.１３０４（１９７８）で開示されたモディフィケーションＩ、モディフィケーションＩＩ、モディフィケーションＩＩＩ、フォームＶ、デュポンフォームＩ、デュポンフォームＩＩ、等々でよい。
【０００８】
スプレー乾燥はスプレー乾燥装置を使用して実施される。スプレー乾燥装置は平行流ノズルスプレーの原理で作動する。すなわち、スプレーされる物質と乾燥ガスは同一方向に流れる。乾燥ガスは空気や窒素、アルゴンまたは二酸化炭素のごとき不活性ガスである。この場合には窒素が好適である。
【０００９】
本発明の方法によって製造される無形トルセミドは図１で示すように、平坦でピークを有しないそのＸ軸粉末回折パターンで特徴付けられる。すなわち、製造物は無形であることを示している。
【発明を実施するための最良の形態】
【００１０】
本発明を以下の実施例を利用して説明する。
【実施例】
【００１１】
無形形態トルセミド製造
結晶トルセミド（３.０ｇ）が４５℃から５０℃でアセトン（５４０ｍｌ）に溶解された。得られた透明溶液はミニスプレードライヤ（Model Buchi-190）でスプレー乾燥された（吸入温度７５℃から７７℃、排出温度５２℃から５８℃）。無形形態のトルセミド微粉末が回収された。さらに真空内で乾燥され（３０℃から３５℃）、１.８ｇの無形形態トルセミドが得られた。Ｘ線粉末回折パターンは製品の無形性を示した（図１）。
【００１２】
本発明を実施例で説明したが、実施例は本発明を制限しない。
【図面の簡単な説明】
【００１３】
【図１】図１は、Ｘ線粉末回折パターンは製品の無形性を示した。
【図１】
2005519862.tif 000004
【国際調査報告】
2005519862.tif 000005
2005519862.tif 000006